(57)【要約】【課題】厚みの薄い薄型テレビジョン装置に対し、壁などの不動体が近くにない場所に配置する場合であっても転倒による表示パネルのガラス面を保護することのできる薄型テレビジョン装置を提供する。【解決手段】表示パネルの表示面よりも前方に突出するよう弾性支持体により付勢力を加えられて筺体１１に保持される破損防止手段１５、１６と、薄型テレビジョン装置１０の揺れを検知して、揺れ検出動作を行う揺れ検出手段１７と、破損防止手段１５、１６を表示パネルの表示面より前方に突出しないよう筺体１１に保持する保持手段と、揺れ検出手段１７が揺れ検出動作を行った際は、保持手段による上記破損防止手段と上記筺体との保持を解除する解除手段とを有する。【選択図】図３
2007336199.tif 000002
【特許請求の範囲】
【請求項１】
映像を表示するための表示パネルの表示面を筺体に露出させて収容する薄型テレビジョン装置において、
厚みの薄い略矩形の形状であって、上記筺体の側面にて一端を上記筺体の厚み方向に回転可能に支持されるとともに、他の端部を上記表示パネルの表示面より前方に突出させるようねじりバネにより支持される破損防止部材と、
先端が幅方向に傾斜面を有するテーパー状に形成された軸状であるとともに、上記筺体の設置面と設置する下面を貫通する開口部を形成する管状のスライド管に、上記テーパー状の先端の傾斜を上記液晶パネルの幅方向に向けつつ、上方に向けて収容する検出ピンと、
先端部に凸部を形成する軸状であるとともに、ツルマキバネにより軸方向に付勢力を有する第一の解除軸と第二の解除軸とを、上記筺体の幅方向と略並行に上記凸部を筺体側面より外側に貫通して突出させて上記筺体内部に保持する解除機構と、
上記破損防止部材の側面に形成され、上記凸部と係合する凹部によって、上記破損防止部材を筺体に保持する保持機構とを有し、
上記スライド管から筺体内に突出した上記検出ピンのテーパー状に形成された先端を、上記第一の解除軸と第二の解除軸の凸部が形成される端部と対向する端部の間に挟みこむことで、上記第一の解除軸と第二の解除軸の筺体側面から外側に向けて突出する上記凸部を破損防止部材の凹部と係合させて保持し、
上記筺体の下面に形成されたスライド管の開口部が揺れにより設置面と接しない場合は、揺れ検出動作として上記第一の解除軸と第二の解除軸に挟まれていた上記検出ピンが、上記スライド管からツルマキバネの付勢力により下方にスライドすることにより、上記第一の解除軸と第二の解除軸との上記検出ピンによる保持が解除されることにより、上記破損防止部材の凹部と上記凸部との係合を解除し、上記破損防止部材を上記表示パネルの表示面より前方に突出させ、
上記揺れ検出ピンの軸部に形成された切り欠きと、スライド移動させた際、上記切り欠きと係合する端部を有するスライド片により、上記揺れ検出ピンの検出動作を一時的に防止する揺れ検出防止機構を有することを特徴とする薄型テレビジョン装置。
【請求項２】
映像を表示するための表示パネルの表示面を筺体に露出させて収容する薄型テレビジョン装置において、
上記表示パネルの表示面よりも前方に突出するよう弾性支持体により付勢力を加えられて上記筺体に保持される破損防止手段と、
当該薄型テレビジョン装置の揺れを検知して、揺れ検出動作を行う揺れ検出手段と、
上記破損防止手段を上記表示パネルの表示面より前方に突出しないよう上記筺体に保持する保持手段と、
上記揺れ検出手段の揺れ検出動作により、上記破損防止手段を上記表示面より前方に突出させるよう、上記保持手段による上記破損防止手段と上記筺体との保持を解除する解除手段とを有することを特徴とする薄型テレビジョン装置。
【請求項３】
上記破損防止手段は、厚みの薄い略矩形の形状であって、上記筺体の側面にて一端を上記筺体の厚み方向に回転可能に支持されるとともに、回転可能に支持されない端部を上記表示パネルの表示面より前方に突出させるよう弾性支持体により支持されることを特徴とする請求項２に記載の薄型テレビジョン装置。
【請求項４】
上記弾性支持体はねじりバネであることを特徴とする請求項３に記載の薄型テレビジョン装置。
【請求項５】
上記破損防止手段は、上記筺体の上記表示パネルが露出する前面の両端より前方に突出するよう、弾性支持体により付勢力を有して保持されることを特徴とする請求項２に記載の薄型テレビジョン装置。
【請求項６】
上記解除手段は、先端部に凸部を形成する軸状の第一の解除軸と第二の解除軸とを、上記筺体の幅方向と略並行に、上記凸部を筺体側面より外側に突出させて上記筺体内部に配置し、
上記保持手段は、上記破損防止手段の側面に上記第一の軸と第二の軸に形成された凸部と係合する凹部によって、上記破損防止手段を筺体に保持し、
上記揺れ検出手段が揺れ検出動作を行った際、上記第一の解除軸と第二の解除軸の凸部が、筺体の内側にスライドすることにより、上記破損防止手段の凹部との係合が解除され、保持手段による保持を解除することを特徴とする請求項２〜請求項５のいずれかに記載の薄型テレビジョン装置。
【請求項７】
上記揺れ検出手段は、先端がテーパー状に形成された軸状の揺れ検出ピンと、
上記筺体の設置面と設置する下面を貫通する開口部を形成する管状のスライド管とを有し、
上記検出ピンのテーパー状に形成された先端を上方に向けて、上記スライド管に収容するとともに、上記筺体の下面が設置面と接している場合は、上記検出ピンの下面は上記スライド管の開口部から設置面と当接するとともに、テーパー状に形成された先端は、上記第一の解除軸と第二の解除軸の凸部を有しない端部との間に挟まれることで、上記凸部と破損防止手段の凹部との係合を保持し、
上記筺体の下面に形成されたスライド管の開口部が揺れにより設置面と接しない場合は、揺れ検出動作として、上記検出ピンを、上記スライド管から下方にスライドし、上記テーパー状の先端部の第一の解除軸と第二の解除軸との係合を解除することで、上記保持手段の保持を解除することを特徴とする請求項６に記載の薄型テレビジョン装置。
【請求項８】
上記筺体は、上記表示パネルの表示面が表示される前面両端に上記破損防止手段を収容する溝を形成し、
上記破損防止手段は、上記揺れ検出手段が揺れ検出動作を行わない場合は、上記溝に収容された状態で上記保持手段により保持されることを特徴とする請求項６または請求項７のいずれかに記載の薄型テレビジョン装置。
【請求項９】
上記第一の解除軸と第二の解除軸の凸部はツルマキバネにより上記筺体の幅方向の外側に向けて付勢力を有して配置されていることを特徴とする請求項６〜請求項８のいずれかに記載の薄型テレビジョン装置。
【請求項１０】
当該薄型テレビジョン装置は、上記揺れ検出ピンの軸部に形成された切り欠きと、スライド移動させた際、上記切り欠きと係合する端部を有するスライド片により、上記揺れ検出ピンの検出動作を一時的に防止する揺れ検出防止手段を有することを特徴とする請求項７〜請求項９のいずかに記載の薄型テレビジョン装置。
【発明の詳細な説明】
【技術分野】
【０００１】
本発明は、薄型テレビジョン装置に関し、特に、転倒時に表示パネルの表示面を保護する薄型テレビジョン装置に関する。 
【背景技術】
【０００２】
液晶ディスプレイやプラズマディスプレイを有する薄型テレビジョン装置は、ブラウン管型テレビジョン装置に比べ、奥行き方向のスペース効率を有効に使える点や、消費電力を軽減することができる点において広く普及してきている。しかしながら、薄型テレビジョン装置は、ブラウン管型テレビジョン装置と比べ奥行きが短いため、地震などの揺れには弱いという問題があった。
【０００３】
表示パネルの表示面はガラスで形成されているとともに筺体から露出しており、地震の際表示面を下にして転倒した場合には、ガラス面が破損する恐れがあった。上述した薄型テレビジョン装置の倒れ防止方法としては、薄型テレビジョン装置をバンドを介して背面にある壁と固定することで、薄型テレビジョン装置の倒れを防止する方法が知られている。しかしながら、上述したバンドを用いて固定する方法では、前提条件として薄型テレビジョン装置の付近に壁などの不動体が配置している場所に薄型テレビジョン装置を配置する必要がある。
【０００４】
そのため、背面にベルトを固定する不動体が存在しない場所においても、地震による倒れによる表示面の破損を保護する方法として、ＤＶＤ再生装置等の記録装置の上に薄型テレビジョン装置を配置させた場合に、上記ＤＶＤ再生装置と薄型テレビジョン装置とを電源ケーブルなどのケーブルにより固定する方法が開示されている（例えば、特許文献１参照。）。
【０００５】
また、振動や衝撃を感知する衝撃感知手段と、転倒防止デバイスと、転倒防止デバイス格納手段と、転倒防止デバイス出入手段とを有し、衝撃感知手段の検知に基づいて、転倒防止デバイスを転倒防止デバイス出入手段を用いて、転倒防止デバイス格納手段から出し入れすることで、転倒を防止する方法が開示されている（例えば、特許文献２参照。）。
【０００６】
さらには、テレビジョン受信機を取り付けた支持体ベースと、前記支持体ベースに取り付けられた荷重支持体とを有し、転倒させようとする力が働いた場合に支持体ベースが動き力を吸収する方法が開示されている（例えば、特許文献３参照。）。
【特許文献１】特開２００５―０２７２３０
【特許文献２】特開平１１―００９３７３
【特許文献３】特開平０５―２１９４６３
【発明の開示】
【発明が解決しようとする課題】
【０００７】
上述した特許文献１の発明は、次のような課題があった。つまり、特許文献１の発明は、外部機器の上方にテレビジョン装置を配置する場合にのみ有効であり、比較的大型の薄型テレビジョンのような外部機器の上に配置しないものには利用できなかった。
【０００８】
また、特許文献２の発明は、次のような課題がった。つまり、重心が比較的上方にあるテレビジョン装置や、表示パネルの下方から脚部を延設した形状の薄型テレビジョン装置においては、上述した各手段を収容するスペースが必要となり適応できる形状が限られていた。さらには、万が一大型の地震に見舞われて転倒した場合、表示パネルを保護する機能は有していなかった。
【０００９】
さらには、特許文献３の発明は、次のような課題があった。つまり、奥行き方向が短い薄型テレビジョン装置に関しては、荷重支持体間のピッチが小さくなるため転倒防止のための十分な面積を確保できなかった。
【００１０】
本発明は、上記課題にかんがみてなされたもので、厚みの薄い薄型テレビジョン装置に対し、壁などの不動体が近くにない場所に配置する場合であっても転倒による表示パネルの表示面の破損を防止することが可能な薄型テレビジョン装置の提供を目的とする。
【課題を解決するための手段】
【００１１】
上記課題を解決するために、本発明の請求項１にかかる発明では、映像を表示するための表示パネルの表示面を筺体に露出させて収容する薄型テレビジョン装置において、
厚みの薄い略矩形の形状であって、上記筺体の側面にて厚みを同じにしつつ、一端を上記筺体の厚み方向に回転可能に支持されるとともに、他の端部を上記表示パネルの表示面より前方に突出させるよう弾性支持体により支持される破損防止部材と、先端が幅方向に傾斜面を有するテーパー状に形成された軸状であるとともに、上記筺体の設置面と設置する下面を貫通する開口部を形成する管状のスライド管に、上記テーパー状の先端の傾斜を上記液晶パネルの幅方向に向けつつ、上方に向けて収容する検出ピンと、先端部に凸部を形成する軸状であるとともに、ツルマキバネにより軸方向に付勢力を有する第一の解除軸と第二の解除軸とを、上記筺体の幅方向と略並行に、上記凸部を筺体側面より外側に貫通して突出させて上記筺体内部に配置する解除機構と、上記破損防止部材の側面に形成された上記凸部と係合する凹部によって、上記破損防止部材を筺体に保持する保持機構とを有し、上記スライド管から筺体内に突出した上記検出ピンのテーパー状に形成された先端を、上記第一の解除軸と第二の解除軸の凸部が形成される端部と対向する端部の間に挟みこむことで、筺体側面から外側に向けて突出する上記凸部を、破損防止部材の凹部と係合させて保持し、上記筺体の下面に形成されたスライド管の開口部が揺れにより設置面と接しない場合は、揺れ検出動作として、上記第一の解除軸と第二の解除軸に挟まれた上記検出ピンが、上記スライド管からツルマキバネの付勢力により下方にスライドし、上記第一の解除軸と第二の解除軸との上記検出ピンによる保持を解除することにより、上記破損防止部材の凹部と上記凸部の係合を解除し、上記破損防止部材を上記表示パネルの表示面より前方に突出させ、上記揺れ検出ピンの軸部に形成された切り欠きと、スライド移動させた際、上記切り欠きと係合する端部を有するスライド片により、上記揺れ検出ピンの検出動作を一時的に防止する揺れ検出防止機構を有するる構成としてある。
【００１２】
上記のように構成した請求項１にかかる発明においては、揺れにより、筺体の下面が設置面と離れると、揺れ検出動作として、上記検出ピンが、上記スライド管から付勢力により下方にスライドし、上記第一の解除軸と第二の解除軸とが内側にスライドすることにより、上記破損防止部材の凹部と上記凸部の係合を解除し、上記破損防止部材を上記表示パネルの表示面より前方に突出する。
【００１３】
また、上記目的を達成するために、映像を表示するための表示パネルの表示面を筺体に露出させて収容する薄型テレビジョン装置において、
上記表示パネルの表示面よりも前方に突出するよう弾性支持体により付勢力を加えられて上記筺体に保持される破損防止手段と、当該薄型テレビジョン装置の揺れを検知して、揺れ検出動作を行う揺れ検出手段と、上記破損防止手段を上記表示パネルの表示面より前方に突出しないよう上記筺体に保持する保持手段と、上記揺れ検出手段の揺れ検出動作により、上記破損防止手段を上記表示面より前方に突出させるよう、上記保持手段による上記破損防止手段と上記筺体との保持を解除する解除手段とを有する構成としてある。
【００１４】
上記のように構成した発明において、薄型テレビジョン装置の揺れを検出すると、揺れ検出手段は揺れ検出動作を行う。上記した揺れ検出動作により、解除手段は、保持手段による破損防止手段と筺体との係合を解除することで、破損防止手段が、弾性支持体により表示パネルの表示面よりも前面に突出することで、薄型テレビジョン装置が表示面を下にして転倒した場合においても、破損防止手段が設置面と干渉することで、表示面が設置面と衝突するのを防止するので、厚みの薄い薄型テレビジョン装置に対し、壁などの不動体が近くにない場所に配置する場合であっても転倒を防止することが可能であるとともに、万が一転倒した場合においても表示パネルのガラス面を保護することができる。
【００１５】
また、破損防止手段の構成としては、  上記破損防止手段は、厚みの薄い略矩形の形状であって、上記筺体の側面にて厚みを同じにしつつ、一端を上記筺体の厚み方向に回転可能に支持されるとともに、上記弾性支持体により回転可能に支持されない端部を上記表示パネルの表示面より前方に突出させるよう支持される構成であってもよい。
上記のように構成した発明において、上記破損防止手段は、筺体の側面に配置されるとともに、揺れ検出手段の検出動作に基づいて、筺体の厚み方向に回転することにより、表示面より前面に突出するので、筺体の大きさに左右されず破損防止手段を取り付けることが可能となる。
【００１６】
上述した、弾性支持体の一例として、上記弾性支持体はねじりバネであってもよい。上記のように構成した発明においては、ねじりバネを使用するので、簡易な構造で破損防止手段が表示面より突出する機能を実現することが可能となる。
【００１７】
さらに、破損防止手段の構成の一例としては、上記破損防止手段は、上記筺体の上記表示パネルが露出する前面の両端より前方に突出するよう、弾性支持体により付勢力を有して保持される構成としてもよい。
上記のように構成された破損防止手段は、筺体の表示パネルが露出する前面両端より弾性支持体により前方に突出することで、薄型テレビジョン装置の転倒の際、表示パネルの破損を防止するため、外観のデザインを阻害されないで表示パネルの破損を防止することができる。
【００１８】
また、解除手段と破損防止手段との構成の一例としては、上記解除手段は、先端部に凸部を形成する軸状の第一の解除軸と第二の解除軸とを、上記筺体の幅方向と略並行に、上記凸部を筺体側面より突出させて上記筺体内部に配置し、
上記保持手段は、上記破損防止手段の側面に上記第一の軸と第二の軸に形成された凸部と係合する凹部によって、上記破損防止手段を筺体に保持し、上記揺れ検出手段が揺れ検出動作を行った際、上記第一の解除軸と第二の解除軸の凸部が、筺体の内側にスライドすることにより、上記破損防止手段の凹部との係合が解除され、上記破損防止手段と筺体との保持を解除する構成としてもよい。
上記のように構成された薄型テレビジョン装置は、解除手段と破損防止手段の構成を、機構的に行うため、簡易な機構で表示パネルの破損を防止することができる。
【００１９】
さらに、検出手段の具体的な構成の一例としては、上記揺れ検出手段は、先端がテーパー状に形成された軸状の揺れ検出ピンと、上記筺体の下面を貫通する開口部を形成する管状のスライド管を有し、上記検出ピンのテーパー状に形成された先端を上方に向けて、上記スライド管に収容するとともに、上記筺体の下面が設置面と接している場合は、上記検出ピンの下面を上記スライド管の開口部から設置面と当接しつつ、テーパー状に形成された先端を、上記第一の解除軸と第二の解除軸の凸部を有しない端部と当接することで、上記凸部と破損防止手段の凹部との係合を保持し、上記筺体の下面に形成されたスライド管の開口部が設置面と接しない場合は、上記検出ピンが、上記スライド管から自重により下方にスライドし、上記テーパー状の先端部が第一の解除軸と第二の解除軸との係合を解除することで、上記凸部と上記破損防止手段の凹部との係合を解除する構成としてもよい。
【００２０】
上記のように構成された薄型テレビジョン装置では、揺れ検出手段は、揺れ検出ピンの自重による落下を基に揺れを検出するため、揺れ検出手段を簡易な機構により実現することができる。
【００２１】
また、破損防止手段の配置構造の一例としては、上記筺体は、上記表示パネルの表示面が表示される前面両端に上記破損防止手段を収容する溝を形成し、上記破損防止手段は、上記揺れ検出手段が揺れ検出動作を行わない場合は、上記溝に収容される構成としてもよい。
上記のように構成された薄型テレビジョン装置では、平常時は、筺体に構成された溝に破損防止手段が収容されるので、外観の美観を損なわないで表示パネルの破損を防止することができる。
【００２２】
さらには、解除手段の構成の一例として、上記第一の解除軸と第二の解除軸の凸部はツルマキバネにより上記筺体の幅方向の外側に向けて付勢力を有して配置される構成としてもよい。
上記のように構成された薄型テレビジョン装置では、ツルマキバネを使用して第一の解除軸、および第二の解除軸と破損防止手段との係合を解除するので簡易な構成にすることができる。
【００２３】
最後に、当該薄型テレビジョン装置は、上記揺れ検出ピンの軸部に形成された切り欠きと、スライド移動させた際、上記切り欠きと係合する端部を有するスライド片により、上記揺れ検出ピンの検出動作を一時的に防止する揺れ検出防止手段を有する構成としてもよい。
上記のように構成された薄型テレビジョン装置において、揺れ検出防止手段により揺れ検出ピンの揺れの検出を防止するので、当該薄型テレビジョン装置の持ち運びによる揺れに対して誤動作しない破損防止手段を提供することができる。
【発明の効果】
【００２４】
以上説明したように本発明によれば、厚みの薄い薄型テレビジョン装置に対し、壁などの不動体が近くにない場所に配置する場合であっても転倒による表示パネルの表示面の破損を防止することが可能な薄型テレビジョン装置を提供することができる。
また、請求項３にかかる発明によれば、筺体の側面に倒れ防止手段を備えるので、筺体の形状に左右されず破損防止手段を取り付けることが可能となる。
さらに請求項４にかかる発明によれば、ねじりバネを使用するので、簡易な構造で破損防止手段の機能を実現することが可能となる。
さらに請求項５にかかる発明によれば、筺体前面に破損防止手段を収容するので、外観のデザインを阻害されないで表示パネルの破損を防止することができる。
また請求項６にかかる発明によれば、簡易な機構で表示パネルの破損を防止することができる。
さらに請求項７にかかる発明によれば、揺れ検出手段を簡易な機構により実現することができる。
また請求項８にかかる発明によれば、外観の美観を損なわないで表示パネルの破損を防止することができる。
さらに請求項９にかかる発明によれば、ツルマキバネを使用するので簡易な構成にすることができる。
また請求項１０にかかる発明によれば、移動による揺れに対して誤動作しない破損防止手段を提供することができる。
さらに請求項１のような、より具体的な構成において、上述した請求項２〜請求項１０の各発明と同様の作用を奏することはいうまでもない。
【発明を実施するための最良の形態】
【００２５】
以下、下記の順序に従って本発明の実施形態である薄型テレビジョン装置の説明を行う。
（１）薄型テレビジョン装置の構成
（２）表示パネル保護方法
（３）変形例１
（４）変形例２
（５）まとめ
【００２６】
（１）薄型テレビジョン装置の構成 
以下、図１〜図５を参照して、この発明に係る薄型テレビジョン装置を具体化した第１の実施の形態について説明する。図１は薄型テレビジョン装置１０の斜視図である。同図より、薄型テレビジョン装置１０は、筺体１１を構成するフロントキャビネット１１ａ、バックキャビネット１１ｂ、映像を表示する表示パネルを含む表示モジュール１３、薄型テレビジョン装置１０を支持する脚部１４、転倒時に表示パネルのガラス面を保護する破損防止部材１５、１６とを有する構成である。上述した構成により薄型テレビジョン装置１０は、テレビジョン電波を受信して表示モジュール１３に映像を表示するとともに、地震等による振動で、薄型テレビジョン装置１０が転倒した際には、破損防止部材１５、１６が作動することにより表示パネル１３ａの破損を防護する。以下に順をおって薄型テレビジョン装置１０の構成と機能を説明していく。
【００２７】
図２は薄型テレビジョン装置の概略側面図である。同図より、表示モジュール１３は、映像を表示するための表示パネル１３ａと、図示しないアンテナが受信したテレビジョン電波から所定のチャネルに対応する映像信号と音声信号を生成するメイン基板１３ｃと、表示パネル１３ａとメイン基板１３ｃとを固定して、フロントキャビネット１１ａとバックキャビネット１１ｂから構成される筺体１１に収容するためのメインフレーム１３ｂとから構成される。また、フロントキャビネット１１ａの表示面を露出するための開口部には、場合によってはめ込み式のベゼル１２が取り付けられる。本発明の位置実施形態である薄型テレビジョン装置１０の表示パネル１３ａとしては、液晶ディスプレイであってもよいし、プラズマディスプレイパネルであってもよい。
【００２８】
メイン基板１３ｃは、テレビジョン電波を受信して所定のチャネルに対応する搬送波から映像信号と音声信号を生成するクロマ処理を行うチューナ部と、チューナ部が生成した映像信号を基に表示パネル１３ａに映像を表示するためのＲＧＢ信号を生成する映像回路と、さらには、チューナ部が生成した音声信号を基に音声を生成する音声回路と、上記した各部位に電源を供給するための電源回路とを有している。本発明のチューナ部としてはＰＬＬ方式のチューナが上げられ、ディジタル放送を受信するものであっても、アナログ放送とディジタル放送の両方を受信するものであってもよい。
【００２９】
また、メインフレーム１３ｂは、板金で形成され、表示パネル１３ａを収容するための凹部を形成するとともに、ボス１３ｂ１、１３ｂ２を用いてメイン基板１３ｃを、表示パネル１３ａの背面にネジ止めする。このとき、メインフレーム１３ｂには脚部１４がネジ止めされて固定される。上記構成にて表示パネル１３ａと、メイン基板１３ｃと脚部１４とがネジ止めされたメインフレーム１３ｂを、フロントキャビネット１１ａにネジ止めした後、フロントキャビネット１１ａとバックキャビネット１１ｂをネジ止めすることで、薄型テレビジョン装置１０は、脚部１４により表示パネル１３ａの表示面を前面にして直立する。
【００３０】
（２）表示パネル保護構造
また、薄型テレビジョン装置１０は、地震などによる揺れにより表示パネル１３ａの表示面を保護するために、破損防止部材１５、１６を筺体の側面に有している。本発明の一実施形態である破損防止部材１５、１６は、揺れを検知すると、破損防止部材１５、１６とが回転軸１５ａ、１６ａを回転中心とした筺体の厚み方向に時計回りに回転する。このため、揺れにより、表示パネル１３ａの表示面を下にして薄型テレビジョン装置１０が転倒した場合、破損防止部材１５、１６の先端部が地表面と干渉し、表示パネル１３ａの表示面が地面に衝突するのを防止する。以下に表示パネル保護構造の具体的な構成を説明していく。
【００３１】
図３は、薄型テレビジョン装置の内部を示す斜視図である。同図より、破損防止部材１５、１６は矩形形状であって、端部はフロントキャビネット１１ａの側面に形成された回転軸１５ａ、１６ａにより筺体の厚み方向に回転可能に保持されるとともに、ねじりバネ１５ｂ、１６ｂを用いて、回転軸１５ａ、１６ａを中心として、時計回りの付勢力を与えられている。これにより破損防止部材１５、１６は、ねじりバネ１５ｂ、１６ｂの弾性力により、回転軸１５ａ、１６ａを中心として、筺体１１の前面より先端が突出するよう保持される。さらには、破損防止部材１５、１６がねじりバネ１５ｂ、１６ｂの付勢力により時計回りの回転を行った際、破損防止部材１５、１６が筺体１１の前面と所定の角度を有して保持されるようストッパ１５ｄ、１６ｄとを有している。
【００３２】
図４は、筺体側面から見た破損防止部材１５と、ねじりバネ１５ｂ、さらにはストッパ１５ｄの位置関係を示す図である。同図より、ねじりバネ１５ｂは回転軸１５ａをバネの内穴に挿入しつつ、フロントキャビネット１１ａと破損防止部材１５とで挟みこむとともに、破損防止部材１５に形成されたフック１５ｅ、さらには筺体の両側面に形成されたフック１１ａ１、１１ａ２により、破損防止部材１５と筺体１１に固定される。これにより、ねじりバネ１５ｂが外部からねじりを受けない状態においては、ねじりバネ１５ｂは破損防止部材１５を、回転軸１５ａを回転中心として時計回りに回転させる。このときストッパ１５ｄは、フロントキャビネット１１ａの側面上方に、幅方向に突出するよう設置されている。これにより、ねじりバネ１５ｂにより時計回りの回転を行うよう付勢された破損防止部材１５の上辺はストッパ１５ｄと当接することで、筺体１１の前面と所定の角度を有して保持されるので簡易な機構で所定角度を保持することができる。
【００３３】
本発明の実施形態のストッパ１５ｄ、１６ｄは、フロントキャビネット１１ａの側面に、ボルトを固定することによりストッパとしているが、ストッパの形状としてはこれに限定されず破損防止部材１５、１６の回転軸を中心とした時計回りの回転を規制するものであればよい。また、破損防止部材１５、１６に付勢力を加えるねじりバネは、これに限定されず、シリンダーを用いて構成してもよい。さらには、本発明の一実施形態としては、筺体１１の前面と破損防止部材１５、１６の角度を１２０度になるようストッパ１５ｄ、１６ｄを配置している。
【００３４】
また、図３より、破損防止部材１５、１６の回転軸１５ａ、１６ａにより保持されない端部の内側には凹部１５ｃ、１６ｃを形成している。揺れが発生しない通常時において、上述した破損防止部材１５、１６をフロントキャビネット１１ａの側面に固定しておくとともに、揺れを検知した際、破損防止部材１５、１６とが回転軸１５ａ、１６ａを中心として回転するよう、薄型テレビジョン装置１０は、揺れ検出ピン１７ａと、解除機構１８とを有する構成である。また、凹部１５ｃ、１６ｃは後述する解除機構１８の凸部とで保持機構を形成する。
【００３５】
揺れ検出機構１７は、揺れ検出ピン１７ａと、スライド管１７ｂとを有し、薄型テレビジョン装置１０の揺れを検知して揺れ検出動作を行う。揺れ検出ピン１７ａは、先端部がテーバー状になった検出軸１７ａ１を有する軸状の形状である。スライド管１７ｂは、管状であって、脚部１４の内部に形成され脚部１４の下面を貫通して、筺体１１に収容された脚部１４の上面を貫通している。揺れ検出ピン１７ａは、スライド管１７ｂの管に検出軸１７ａ１を上方にして収容するとともに、脚部１４の下面に形成されたスライド管１７ｂの開口部にて設置面と当接することにより姿勢を保持している。また、揺れ検出ピン１７ａは、ツルマキバネ１７ｃにより下方に向けて付勢力を加えられている。このとき、揺れ検出ピン１７ａの長さは、検出軸１７ａ１が筺体１１に内蔵される脚部１４の先端より突出する必要がある。
【００３６】
解除機構１８は、上記した凹部１５ｃ、１６ｃとで、揺れ検出機構１７が揺れ検出動作を行わない場合は、破損防止部材１５、１６を筺体１１に収容された表示パネル１３ａの表示面より前方に突出しないよう筺体１１と保持するとともに、揺れ検出機構１７が揺れ検出動作を行った際は、破損防止部材１５，１６と筺体１１との保持を解除するためのものである。このため、解除機構１８は、先端部に凸部を形成する軸状の第一の解除軸１８ａと第二の解除軸１８ｂとを、筺体１１の幅方向と略並行に、上記凸部を筺体１１の側面より外側に貫通して突出させて筺体１１内部に配置している。これにより破損防止部材１５、１６に形成された凹部１５ｃ、１６ｃと上記凸部１８ａ１、１８ｂ１が係合して、破損防止部材１５、１６の保持を行う。そのため、揺れ検出機構１７が揺れ検出動作を行った際、第一の解除軸１８ａと第二の解除軸１８ｂの凸部１８ａ１、１８ｂ１が、筺体１１の内側にスライドすることにより、破損防止部材１５、１６の凹部１５ｃ、１６ｃとの係合が解除され、破損防止部材１５、１６と筺体１１との保持を解除する。
【００３７】
第一の解除軸１８ａと第二の解除軸１８ｂは、先端が突出した凸部１８ａ１、１８ｂ１と、伝達軸１８ａ２、１８ｂ２、さらには、凸部１８ａ１、１８ｂ１と伝達軸１８ａ２、１８ｂ２を介在する弾性支持体１８ａ３、１８ｂ３とから構成されている。凸部１８ａ１、１８ｂ１は、円断面の一端に凹部を形成するとともに、上記凹部の開口部の背面に凸形状を有する。伝達軸１８ａ２、１８ｂ２は、円柱形状とし、材質としては弾性力を有しない硬質の材質であることが望ましい。
【００３８】
第一の解除軸１８ａと第二の解除軸１８ｂの構成としては、上述した凸部１８ａ１、１８ｂ１の凹部に弾性支持体１８ａ３、１８ｂ３としてのツルマキバネを弾性方向を凸部の突出方向と略並行になるよう収容するとともに、伝達軸１８ａ２、１８ｂ２の先端を凸部１８ａ１、１８ｂ１の開口部に挿入するようにして配置する。こうして組み立てた第一の解除軸１８ａと第二の解除軸１８ｂとを長手方向を、薄型テレビジョン装置１０の幅方向と略並行に配置するとともに、上記凸部１８ａ１、１８ｂ１が、上記破損防止部材１５、１６の凹部１５ｃ、１６ｃに挿入するよう筺体１１にて保持する。
【００３９】
そのため、筺体１１は上述した第一の解除軸１８ａと第二の解除軸１８ｂの長手方向を、筺体１１の幅方向と略並行になるよう保持するとともに、後述する揺れ検出機構１７の揺れ検出ピン１７ａの動作に連動して、第一の解除軸１８ａと第二の解除軸１８ｂとを幅方向にスライドするよう保持する必要がある。そのため、本発明の薄型テレビジョン装置１０は、フロントキャビネット１１ａの側面に、第一の解除軸１８ａと第二の解除軸１８ｂの凸部１８ａ１、１８ｂ１が挿入して幅方向にスライド可能なボス部１９ａ１、１９ａ２と、フロントキャビネット１１ａの下面より、第一の解除軸１８ａと第二の解除軸１８ｂとを下方から保持する受け部１９ｂ１、１９ｂ２とを有する形状である。
【００４０】
上述した筺体１１の構成により、第一の解除軸１８ａと第二の解除軸１８ｂは、ボス部１９ａ１、１９ａ２により凸部１８ａ１、１８ｂ１が保持され、第一の解除軸１８ａと第二の解除軸１８ｂの伝達軸１８ａ２、１８ｂ２が受け部１９ｂ１、１９ｂ２により保持されることで、薄型テレビジョン装置１０の幅方向にスライド可能に保持される。通常、第一の解除軸１８ａと第二の解除軸１８ｂとの間には、脚部１４のスライド管１７ｂから突出した揺れ検出ピン１７ａが介在している。このため、第一の解除軸１８ａと第二の解除軸１８ｂの凸部１８ａ１、１８ｂ１を形成する端部と対向する端部との間に、揺れ検出ピン１７ａの検出軸１７ａ１を挟むことで、第一の解除軸１８ａと第二の解除軸１８ｂの凸部１８ａ１、１８ｂ１を破損防止部材１５、１６の凹部１５ｃ、１６ｃと係合して保持する。
【００４１】
上述した、揺れ検出機構１７、さらには解除機構１８を用いた、揺れによる破損防止部材１５、１６の動作を以下に説明する。図５は、揺れを検出した際の揺れ検出機構と解除機構の動作を示す図である。通常揺れ検出ピン１７ａは、脚部１４のスライド管１７ｂを貫通するとともに、揺れ検出ピン１７ａの下端は設置面と当接することにより、筺体１１内で検出軸１７ａ１を所定の高さに保持している。また、解除機構１８の第一の解除軸１８ａと第二の解除軸１８ｂとは筺体１１に形成されたボス部１９ａ１、１９ａ２、さらには受け部１９ｂ１、１９ｂ２の保持により、上記した揺れ検出ピン１７ａの検出軸１７ａ１を挟んでいる。
【００４２】
上述した、構成により、第一の解除軸１８ａと第二の解除軸１８ｂは、筺体１１の幅方向の外側に向けて揺れ検出ピン１７ａにより押し出されるとともに、第一の解除軸１８ａ、１８ｂの外側の端は、凸部１８ａ１、１８ｂ１に内蔵されたツルマキバネ１８ａ３、１８ｂ３を介して凸部１８ａ１、１８ｂ１を外側に押し出すよう付勢力を加えている。
【００４３】
このため、凸部１８ａ１、１８ｂ１は、破損防止部材１５、１６の凹部１５ｃ、１６ｃに挿入し、破損防止部材１５、１６を所定の位置に保持する。このような状態で、揺れにより薄型テレビジョン装置１０が傾き、脚部１４が設置面から離れると、設置面と当接していた揺れ検出ピン１７ａは自重により下方にスライドする。揺れ検出ピン１７ａの第一の解除軸１８ａ、第二の解除軸１８ｂと当接する検出軸１７ａ１はテーパー状に形成されているため、揺れ検出ピン１７ａがツルマキバネ１７ｃの付勢力により下方にスライドすると、当然、第一の解除軸１８ａ、第二の解除軸１８ｂの端部と当接する検出軸１７ａ１の断面の径が小さくなり、第一の解除軸１８ａ、第二の解除軸１８ｂの幅方向外側への付勢力を解除する。また、揺れ検出ピン１７ａのスライド管１７ｂからの下方へのスライドは、揺れ検出ピン１７ａの自重によって下方にスライドさせる構成としてもよい。
【００４４】
これにより、破損防止部材１５、１６の凹部１５ｃ、１６ｃと凸部１８ａ１、１８ａ２との係合が解除され、ねじりバネ１５ｂ、１６ｂの弾性力により破損防止部材１５、１６は回転軸１５ａ、１６ａを回転中心として時計回りの回転を行う。そのため、薄型テレビジョン装置１０が、表示面を下にして転倒した場合でも、破損防止部材１５、１６の先端が先に地表面と接するので、表示パネル１３ａの表示面が地面に当たらず、表示パネルを破損しない。そのため、大きな揺れにより、転倒した場合でも、表示パネルの破損を未然に防止することが可能である。
【００４５】
また、薄型テレビジョン装置１０を運搬する際、上述した揺れ検出機構１７が作動しないよう、薄型テレビジョン装置１０は、揺れ検出機構１７の作動を一時的に防止する揺れ検出防止機構２０を有している。図６は揺れ検出手段の一例を表す図である。同図より、揺れ検出防止機構２０は、脚部１４の側壁をスライドレール溝２０ｂに挿入させることで、脚部１４の前面に沿ってスライドするスライド弁２０ａと、さらにはスライド管１７ｂに形成された開口部１７ｂ１と、揺れ検出軸１７ａ１に形成された切り欠き１７ａ２とから構成されている。スライド弁２０ａは、摘み２０ａ１が配置される面の後方に係止片２０ａ２が形成された構成である。
【００４６】
上述した構成により、スライド弁２０ａを、脚部１４の面に沿ってスライドレール溝２０ｂを用いてスライドさせると、係止片２０ａ２の先端が、スライド管１７ｂの開口部１７ｂ１を貫通するとともに、切り欠き１７ａ２と係合して検出ピン１７ａを固定する。上述した構成により、ユーザが、薄型テレビジョン装置１０を移動させる場合などは、揺れ検出防止機構２０により、揺れ検出動作を防止して薄型テレビジョン装置１０を移動させることが可能となる。これにより、揺れ検出手段を構成する。
【００４７】
（３）変形例１
上述した薄型テレビジョン装置１０では、破損防止部材１５、１６をフロントキャビネット１１ａの側面に、回転軸１５ａ、１６ａを介して固定を行った。しかしながら、破損防止部材１５、１６を、フロントキャビネット１１ａに形成した溝に収容するよう配置することで、通常の使用時には、破損防止部材１５，１６が溝に隠れているためユーザに外観に違和感のない薄型テレビジョン装置１０を提供することが可能となる。以下に変形例１としての薄型テレビジョン装置１０の構成を説明する。
【００４８】
図７は変形例としての薄型テレビジョン装置１０の斜視図を表す図である。図８は、変形例としての薄型テレビジョン装置１０の内部構成図を表す図である。図７より、薄型テレビジョン装置１０は、フロントキャビネット１１ａの表示パネルが露出する前面の外側に溝２１、２２を高さ方向と略並行に形成している。溝２１、２２の形状としては、破損防止部材１５、１６の厚みと奥行きに合わせて形成すればよい。通常フロントキャビネット１１ａは、樹脂にて成形されて形成されるため、変形例としてのフロントキャビネット１１ａも同様に、樹脂にて一体成形することで溝２１、２２を形成している。
【００４９】
また、図８より、破損防止部材１５、１６は、図３の薄型テレビジョン装置１０と同様に回転軸１５ａ、１６ａにて回転可能に固定されている。このとき、回転軸１５ａ、１６ａは、フロントキャビネット１１ａの溝２１、２２を形成する内壁に形成された軸受け部２１ａ、２２ａに破損防止部材１５、１６を回転させる回転軸１５ａ、１６ａを保持させ、フロントキャビネット１１ａに保持した状態で、バックキャビネット１１ｂにより狭持することにより回転軸１５ａ、１６ａを筺体１１に固定している。
【００５０】
また、解除機構１８の凸部１８ａ１、１８ｂ１は、同様に溝２１、２２を形成するフロンとフロントキャビネット１１ａの内壁に形成された開口部２１ｂ、２２ｂにより保持されつつ、バックキャビネット１１ｂにより狭持することにより固定される。また、第一の解除軸１８ａ、第二の解除軸１８ｂは、図３と同様に受け部１９ｂ１、１９ｂ２により下側から保持される。上述した構成により、本発明の実施形態の変形例である薄型テレビジョン装置１０は、図３の薄型テレビジョン装置１０と同様の機能を有するとともに、通常示は、破損防止部材１５、１６がフロントキャビネット１１ａに形成された溝２１、２２に収容されるので、概観に違和感のない薄型テレビジョン装置を提供することが可能となる。
【００５１】
（４）変形例２
上述した、薄型テレビジョン装置１０では、薄型テレビジョン装置１０の転倒の際、破損防止部材１５、１６を回転させて表示面より前方に突出させることにより、破損防止部材１５、１６を設置面と干渉させて表示パネル１３ａの表示面の破損を防止していた。しかしながら、転倒の際、作動する破損防止部材１５、１６の作動方法を以下のようにしてもよい。図９は、第二の変形例としての破損防止部材の機構を表す図である。同図より、薄型テレビジョン装置１０の破損防止部材１５、１６は、平常時はフロントキャビネット１１ａの前面両端の収容部１１ａ３、１１ａ４に収容され、揺れにより薄型テレビジョン装置１０が傾いた場合は、破損防止部材１５、１６が前面より突出することで、表示パネル１３ａを破損から守る。以下に具体的な構成を説明する。
【００５２】
、第二の変形例としての薄型テレビジョン装置１０の構成は、揺れ検出機構１７、及び解除機構１８の形状は上述した図３にしめす薄型テレビジョン装置１０と同一であるため、ここでは省略する。図１０は、変形例２での破損防止部材１５、１６の周辺を拡大した側面図である。同図より、破損防止部材１５は、背面より厚み方向に延設する２本の円柱１５ｅ１、１５ｅ２とネジ止めされている。円柱１５ｅ１、１５ｅ２は、一端に軸心を中心として円柱１５ｅ１、１５ｅ２より径の大きな傘部１５ｅ３、１５ｅ４を形成する形状であって、これにより、円柱１５ｅ１、１５ｅ２は、フロントキャビネット１１ａの前面端部に形成された収容部１１ａ３、１１ａ４に形成された穴１１ａ５、１１ａ５を貫通するとともに、傘部１５ｅ３、１５ｅ４により穴より抜け落ちるのを防止する。さらには、破損防止部材１５の下方には、破損防止部材１５を保持するための凹部１５ｃを形成している。
【００５３】
また、フロントキャビネット１１ａの収容部１１ａ３、の底面には、円柱１５ｅ１、１５ｅ２が挿入してスライド方向を規制するボス部１１ａ６、１１ａ７が形成されている。さらには、破損防止部材１５と、フロントキャビネット１１ａの収容部１１ａ３の底面との間には、弾性支持体としてのツルマキバネ２３、２４が、円柱１５ｅ１、１５ｅ２に貫通されるよう配置され、破損防止部材１５、１６を表示面と略垂直に押し出すよう保持している。上述した構成により、図３の薄型テレビジョン装置１０と同様に、破損防止部材１５、１６は、凹部１５ｃと解除機構１８を係合させて、筺体１１の収容部１１ａ３、１１ａ４に収容させるとともに、揺れ検出ピン１７ａが揺れを検出すると、解除機構１８が係合を解除し、破損防止部材１５、１６を表示面より前方に突出させる。そのため、揺れを検出しない間は、破損防止部材１５、１６は筺体に収容されているので外観の美観を損なわないで表示パネルの破損を防止することができる。
【００５４】
（５）まとめ： 
厚みの薄い薄型テレビジョン装置に対し、壁などの不動体が近くにない場所に配置する場合であっても転倒を防止することが可能であるとともに、万が一転倒した場合においても表示パネルのガラス面を保護するため、上記表示パネルの表示面よりも前方に突出するよう弾性支持体により付勢力を加えられて上記筺体に保持される破損防止手段と、当該薄型テレビジョン装置の揺れを検知して、揺れ検出動作を行う揺れ検出手段と、上記破損防止手段を上記表示パネルの表示面より前方に突出しないよう上記筺体に保持する保持手段と、上記揺れ検出手段が揺れ検出動作を行った際は、上記保持手段による上記破損防止手段と上記筺体との保持を解除する解除手段とを有する。
【００５５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５６】
【図１】薄型テレビジョン装置の斜視図である。
【図２】薄型テレビジョン装置の側面図である。
【図３】薄型テレビジョン装置の内部を示す斜視図である。
【図４】破損防止部材、ねじりバネ、さらにはストッパの位置関係を示す図である。
【図５】揺れを検出した際の揺れ検出機構とロック解除機構の動作を示す図である。
【図６】揺れ検出防止機構を表す図である。
【図７】変形例としての薄型テレビジョン装置の斜視図を表す図である。
【図８】変形例としての薄型テレビジョン装置の内部構成図を表す図である。
【図９】第二の変形例としての破損防止部材の機構を表す図である。
【図１０】変形例２での破損防止部材の周辺を拡大した側面図である。
【符号の説明】
【００５７】
１０…薄型テレビジョン装置、１１…筺体、１１ａ…フロントキャビネット、１１ａ１、１１ａ２…フック、１１ａ３、１１ａ４…収容部、１１ａ５…穴、１１ａ６、１１ａ７…ボス部、１１ｂ…バックキャビネット、１２…ベゼル、１３…表示モジュール、１３ａ…表示パネル、１３ｂ…メインフレーム、１３ｂ１、１３ｂ２…ボス、１３ｃ…メイン基板、１４…脚部、１５、１６…破損防止部材、１５ａ、１６ａ…回転軸、１５ｂ、１６ｂ…ネジリバネ、１５ｃ、１６ｃ…凹部、１５ｄ、１６ｄ…ストッパ、１５ｅ、１６ｅ…フック、１５ｅ１、１５ｅ２…円柱、１５ｅ３、１５ｅ４…傘部、１７…検出機構、１７ａ…検出ピン、１７ａ１…検出軸、１７ａ２…切り欠き、１７ｂ…スライド管、１７ｂ１…開口部、１７ｃ…ツルマキバネ、１８…解除機構、１８ａ、１８ｂ…解除軸、１８ａ１、１８ｂ１…凸部、１８ａ２、１８ｂ２…伝達軸、１８ａ３、１８ｂ３…弾性支持体（ツルマキバネ）、１９ａ１、１９ａ２…ボス部、１９ｂ１、１９ｂ２…受け部、２０…検出防止機構、２０ａ…スライド弁、２０ａ１…摘み、２０ａ２…係止片、２０ｂ…スライドレール溝、２１、２２…溝、２１ａ、２２ａ…軸受け部、２１ｂ、２２ｂ…開口部、２３、２４…ツルマキバネ
【図１】
2007336199.tif 000003
【図２】
2007336199.tif 000004
【図３】
2007336199.tif 000005
【図４】
2007336199.tif 000006
【図５】
2007336199.tif 000007
【図６】
2007336199.tif 000008
【図７】
2007336199.tif 000009
【図８】
2007336199.tif 000010
【図９】
2007336199.tif 000011
【図１０】
2007336199.tif 000012